(57)【要約】      （修正有）【課題】冷蔵庫で冷やしても保冷剤が結露する心配が無く、防水ポケットがないため保冷剤の蓄冷効果を効率良く利用することが可能で心地良く目元周辺を冷やし快適な安眠をもたらし、且つ寝返りをしてもずれることが無いアイシングアイマスクを提供する。【解決手段】中綿を挟み込んで縫い合わされたキルティング素材からなる表地布４と、キルティング素材と同一の素材からなる裏地布５とを顔面を覆う所定の形状に縫い合わせたマスクと、マスクの前記表地布と前記裏地布の間に封入される複数の保冷剤６と、マスクを固定するための伸縮性の無いバンド２とを具備する。保冷剤は、蓄冷剤が充填される袋の表面が不織布からなる。【選択図】図２
0003156195.tif 000002
【実用新案登録請求の範囲】
【請求項１】
中綿を挟み込んで縫い合わされたキルティング素材からなる表地布と、前記キルティング素材と同一の素材からなる裏地布とを顔面を覆う所定の形状に縫い合わせたマスクと、該マスクの前記表地布と前記裏地布の間に封入される複数の保冷剤と、前記マスクを固定するための伸縮性の無いバンドとを具備するアイシングアイマスクであって、
前記保冷剤は、蓄冷剤が充填される袋の表面が不織布からなることを特徴とするアイシングアイマスク。
【請求項２】
中綿を挟み込んで縫い合わされたキルティング素材からなる表地布と、前記キルティング素材と同一素材からなる裏地布とを身体に巻きつける所定の形状に縫い合わせた袋帯と、該袋帯の前記表地布と前記裏地布の間に封入される複数の保冷剤と、前記袋帯を固定するための伸縮性を有するバンドとを具備する冷却帯であって、
前記保冷剤は、蓄冷剤が充填される袋の表面が不織布からなることを特徴とする冷却帯。
【考案の詳細な説明】
【技術分野】
【０００１】
本考案は眼精疲労や瞼の腫れを緩和し、また安眠効果をもたらす保冷剤入りアイシングアイマスク及び冷却帯に関する。
【背景技術】
【０００２】
従来のアイマスクには、目の疲れ、瞼の腫れた時などに、図４に示すように冷蔵庫で冷やした保冷剤４３を従来のアイマスク４０に設けられた防水ポケット４１に入れて伸縮性のあるゴム製バンド４２を耳に掛けて使用するアイマスクや、不凍性のジェルがアイマスクの形状に成形されたビニール製のアイマスク等が多数販売されている。
【０００３】
また、ポリエステル及びアクリル繊維からなる高い吸水性を備えた繊維材を中層に挟み込んだアイマスクは、直接水につけて軽く振った後にそのまま装着するだけで、気化熱で目元を冷やすことができる。
【０００４】
例えば、特許文献１には耳掛がしやすく、マスク本体が顔にフィットするアイマスクが紹介されている。
【先行技術文献】
【特許文献】
【０００５】
【特許文献１】特開２００８−２９５７７９号公報
【考案の概要】
【考案が解決しようとする課題】
【０００６】
しかし、従来のアイマスク４０では、冷蔵庫で冷やした保冷剤４３を入れたナイロン製の袋素材の表面が結露することで、アイマスクから滲み出た水で寝具や衣類を濡らしてしまう問題があった。この問題の解決策として図４に示す従来のアイマスク４０には防水性の布で作られた防水ポケット４１に保冷剤４３を入れる構成が一般的であるが、防水ポケット４１に使用される防水布が断熱効果を伴うためアイマスク４０の冷却効果を低下させる問題があった。
【０００７】
また、アイマスクを留めるゴム製のバンド４２が、就寝中に枕等の寝具と頭部との間に挟み込まれてゴムの弾力によりずれてしまたり、装着中に顔面に圧迫感を生じてしまう問題があった。
【０００８】
本考案は、以上の課題に鑑みてなされたもので、吸水性の高い不織布を袋素材に使用した市販の保冷剤を使用することで、冷蔵庫で冷やしても保冷剤が結露する心配が無く、防水ポケットがないため保冷剤の蓄冷効果を効率良く利用することが可能で心地良く目元周辺を冷やし快適な安眠をもたらし、且つ寝返りをしてもずれることが無いアイシングアイマスク及び冷却帯を提供することを目的とする。
【課題を解決するための手段】
【０００９】
よって本考案は、上記の目的を達成するため、以下（１）、（２）の構成を備えるものである。
【００１０】
（１）中綿を挟み込んで縫い合わされたキルティング素材からなる表地布と、前記キルティング素材と同一の素材からなる裏地布とを顔面を覆う所定の形状に縫い合わせたマスクと、該マスクの前記表地布と前記裏地布の間に封入される複数の保冷剤と、前記マスクを固定するための伸縮性の無いバンドとを具備するアイシングアイマスクであって、前記保冷剤は、蓄冷剤が充填される袋の表面が不織布からなることを特徴とするアイシングアイマスク。
【００１１】
（２）中綿を挟み込んで縫い合わされたキルティング素材からなる表地布と、前記キルティング素材と同一素材からなる裏地布とを身体に巻きつける所定の形状に縫い合わせた袋帯と、該袋帯の前記表地布と前記裏地布の間に封入される複数の保冷剤と、前記袋帯を固定するための伸縮性を有するバンドとを具備する冷却帯であって、前記保冷剤は、蓄冷剤が充填される袋の表面が不織布からなることを特徴とする冷却帯。
【考案の効果】
【００１２】
本考案のアイシングアイマスクによれば、吸水性の高い不織布を袋素材に使用した市販の保冷剤を使用することで、不織布が周囲の水分を吸収するため、冷蔵庫で冷やしても保冷剤が結露する心配が無く、そのため防水ポケットを設ける必要が無くなり保冷剤の蓄冷効果を効率良く利用することができる。
【００１３】
また、保冷剤周囲の水分を吸水性の高い不織布が吸収し、この吸収された水分が体温の熱で不織布から蒸発する際に発生する気化熱により冷却効果が付加されることで、保冷剤の蓄冷効果を持続させ心地良く目元周辺を冷やすことができる。
【００１４】
また、寝返りをしてもずれることが無い摩擦の少ない布製のバンドを有することで、快適な安眠をもたらすアイシングアイマスクを提供することができる。
【００１５】
更に、本考案の冷却帯によれば、複数の不織布タイプの保冷剤を帯状に封入することにより、発熱や筋肉痛等のある患部に巻きつけて冷却して熱や痛みを取り除く場合や、仕事やスポーツ等の後の疲労感を解消するため、頭部、首筋、腰、腕、腿等の冷却に使用する冷却帯を提供することができる。
【図面の簡単な説明】
【００１６】
【図１】本考案に係るアイシングアイマスクの外観図
【図２】本考案に係るアイシングアイマスクの構成図
【図３】本考案に係る冷却帯の構成図
【図４】従来のアイマスクの構成図
【考案を実施するための形態】
【００１７】
以下、本考案を実施するための形態を、実施例により詳しく説明する。
【実施例１】
【００１８】
図１は実施例に係るアイシングアイマスクの外観図であり、図２は実施例に係るアイシングアイマスクの構成図である。
【００１９】
図中において、１はアイシングアイマスク（以下「アイマスク」と記す）の本体である、２はアイマスク１の固定用のバンドである。固定用のバンド２は伸縮性の無い布製テープである。３は固定用のバンド２の端部に縫い付けられた面ファスナである。面ファスナ３は片方がループ繊維３ａでもう片方がフック繊維３ｂからなり面ファスナ同士を貼り合わせることで確実に固定することができる。４はアイマスク１の表面のキルティング素材の表地布である。５はアイマスク１の裏面のキルティング素材の裏地布である。キルティング素材は２枚の布の間に中綿を入れて格子状に縫い合わせた布地素材である。６はアイマスク１に封入される不織布タイプの保冷剤である。
【００２０】
目の疲れ、瞼の腫れた時などに、冷蔵庫で冷やした保冷剤が封入されたアイマスク１を顔に装着することで眼性疲労や瞼の腫れを緩和し、また安眠効果をもたらす不織布タイプの保冷剤６入りアイマスクである。
【００２１】
不織布とは、ナイロン繊維やポリエステル繊維等の化学繊維を機械的或いは化学的に絡めるたり、圧接着して形成されたフェルト状の布材で、従来の繊維を糸状に撚り合わせ織機で織られた布とは異なる。繊維を重ね合わせて絡めることで生じる不規則な中空構造により、高い吸水性と保水性を有する特徴を持っている。この不織布の持つ高い吸水性と保水性の機能を保冷剤の袋素材の結露防止機能に利用した製品が、本実施例のアイマスク１に装備する不織布タイプの保冷剤６である。この不織布タイプの保冷剤６を採用することで、防水ポケットを必要とせず、且つアイマスク内に封入することが可能となった。
【００２２】
本実施例に使用される不織布タイプの保冷剤６には、例えば三菱化学工業（株）製の「スノーパック（登録商標）不織布タイプ」の保冷剤６で、内容物にはゲル状高吸水性ポリマーの蓄冷剤を、ナイロンフィルム表面に不織布が接着処理された袋に充填した保冷剤６を使用した例を示している。しかし、不織布を袋素材に使用した保冷剤６は多くのメーカより発売されているため、本実施例の不織布タイプの保冷剤６を限定するものではない。
【００２３】
不織布タイプの保冷剤６の袋素材表面の接着された不織布が、冷却時に発生する結露や不織布タイプの保冷剤６の周辺の大気に含まれる水蒸気を吸収することで不織布タイプの保冷剤６の表面に水分が滲み出ることがなく、そのため図２に示すように、表地布４と裏地布５との間に保冷剤６を挟み込んで、縫い合わせる簡単な構成となっている。
【００２４】
その結果、従来のナイロン製袋素材の保冷剤４３を冷却した場合の結露により寝具や衣類が濡れるという問題と、図４に示すように保冷剤４２を入れる防水ポケット４１を設けることで、防水ポケット４１の断熱効果により冷却効果を低下させる問題とを解消することができる。
【００２５】
また、不織布を使用することで不織布に吸着した水分が、体温の熱により蒸発する過程において生じる気化熱により、不織布タイプの保冷剤６の周辺の熱を奪い温度を下げる効果があり、保冷剤６の蓄冷時間が長くなることで快適な装着感を維持する効果が期待できる。
【００２６】
その結果、アイマスク１に不織布を袋素材に使用した不織布タイプの保冷剤６を使用することで、従来のアイマスク４０のように保冷剤４３を入れる防水ポケット４１を設ける必要がなく直接アイマスク１の内部に不織布タイプの保冷剤６を封入して保冷剤６の冷却効果を更に高めたアイマスク１を提供することができる。
【００２７】
従来のアイマスク４０を着けて就寝した際、寝返り等でアイマスク４０が寝具と接触しゴム製バンド４２が伸縮してアイマスク４０が顔からずれたり、圧迫感が生じてしまう問題を解決するため、本実施例に係るアイマスク１の留めバンド２には、後頭部或いは側頭部においてアイマスク１を固定する面ファスナ３を縫い付けた伸縮性の無い布製テープを使用した構成となっている。
【００２８】
目元への圧迫感は、就寝時に心理的な不快感を与えることがあるため、固定用の留めバンド２に幅広の伸縮性の無い布製バンドを使用することで、アイマスク１が寝具と接触しても伸縮することがなく、片側にアイマスク１が引っ張られて顔面に圧迫感を生じさせる心配がない。また、布製バンドの表面が滑らかな素材の布地を使用することで寝具との摩擦抵抗を減らして、寝返りを打った場合でもアイマスク１が目元からずれたり、圧迫感が生じることを防止することができる。
【００２９】
以上、説明したように本実施例のアイマスク１によれば、吸水性の高い不織布を袋素材に使用した不織布タイプの保冷剤６を使用することで、冷蔵庫で冷やしても不織布タイプの保冷剤６が結露せず防水ポケット４１を設ける必要がなくなり、不織布タイプの保冷剤６の蓄冷効果を効率良く利用することができる。
【００３０】
また、周囲の水分を吸水性の高い不織布が吸収し、この吸収された水分が体温の熱で不織布から蒸発する際の気化熱により冷却効果が付加されることで、不織布タイプ保冷剤６の蓄冷効果を持続させ心地良く目元周辺を冷やすことができる。
【００３１】
また、寝返りを打ってもずれることが無い摩擦の少ない布製のバンド２を有することで、快適な安眠をもたらすアイマスク１を提供することができる。
【実施例２】
【００３２】
次に、不織布タイプ保冷剤６を封入して帯状に構成し、頭部、首筋、腰、腕、腿等の体に巻きつけて冷却する際に使用する冷却帯１０を説明する。
【００３３】
図３は、本実施例に係る冷却帯１０の構成図である。図中において、１０は冷却帯の本体である。１１は冷却帯１０の伸縮性の有る固定用の留めバンドである。１２は固定用の留めバンド１１の端部に縫い付けられた面ファスナである。面ファスナ１２は片方がループ繊維１２ａでもう片方がフック繊維１２ｂからなり面ファスナ同士を貼り合わせることで確実に固定することができる。１３は冷却帯１０の表面のキルティング素材の表地布である。１４は冷却帯１０の裏面のキルティング素材の裏地布である。
【００３４】
本実施例に係る冷却帯１０は、発熱や筋肉痛等のある患部に巻きつけて冷却し熱や痛みを取り除く場合や、仕事やスポーツ等の後の疲労感を解消する目的で使用される冷却帯１０である。使用する不織布タイプの保冷剤６の機能は実施例１の説明と同一であるため省略する。
【００３５】
図３において、不織布タイプの保冷剤６を３個並べて長方形のキルティング素材の表地布１３と裏地布１４の間に個別に封入した冷却帯１０の構成となっている。冷却帯１０は、用途に応じて封入する保冷剤６の数を増やした構成とすることもできる。冷却帯１０を固定する留めバンド１１は、アイマスク１と異なり伸縮性のあるゴム繊維が織り込まれた伸縮テープ素材を用いて、冷却帯１０の両側に縫い付けられた留めバンド１１の端部に縫い付けられた面ファスナ１２ａ、１２ｂ同士を貼り合わせて留めバンド１１を接続する構成となっている。
【００３６】
伸縮テープ素材を用いた留めバンド１１により、体の動きや呼吸に合わせて伸縮する機能を持たせ、巻きつけた頭部、首筋、腰、腕、腿等に適度な圧迫を与えている。この冷却帯１０の留めバンド１１にゴム繊維が織り込まれた伸縮テープ素材を用いることで生じる適度な圧迫感は、装着感と共に冷却帯１０がずれないという心理的な安心感を与える効果がある。
【符号の説明】
【００３７】
１    アイシングアイマスク
２    留めバンド（伸縮性の無いバンドに対応）
３    面ファスナ
４    表地布
５    裏地布
６    保冷剤
１０  冷却帯
１１  留めバンド（伸縮性を有するバンドに対応）
１２  面ファスナ
１３  表地布
１４  裏地布
【図１】
0003156195.tif 000003
【図２】
0003156195.tif 000004
【図３】
0003156195.tif 000005
【図４】
0003156195.tif 000006